(57)【特許請求の範囲】
【請求項１】
表面から情報記録面までの距離が異なる２種類の情報記録媒体をその距離に対応する所定の閾値により判別する情報記録媒体判別装置であって、
前記情報記録媒体に照射されるレーザの焦点をフォーカス方向に所定の速度で移動させるフォーカス移動手段と、前記焦点の位置に基づき前記情報記録媒体の表面と記録面を検出する検出手段と、
一方の情報記録媒体と他方の情報記録媒体に於ける前記レーザの焦点が前記表面の検出位置から前記情報記録面の最初の検出位置まで移動する移動時間の比率Ｒを所定の固定値として予め記憶する記憶手段と、
閾値設定モードに於いて、前記レーザの焦点が前記表面の検出位置から前記情報記録面の最初の検出位置まで移動する時間を計測し、一方の情報記録媒体に対し、該計測した値と前記比率Ｒにて閾値を設定する制御手段を備えたことを特徴とする情報記録媒体判別装置。
【発明の詳細な説明】
【発明の属する技術分野】
本発明は、装着されたディスクの種類を判別する情報記録媒体判別装置に関する。
【従来の技術】
現在、ＣＤ（Ｃｏｍｐａｃｔ  Ｄｉｓｋ）とＤＶＤ（Ｄｉｇｉｔａｌ  Ｖｉｄｅｏ  Ｄｉｓｋ）を１台の再生装置で再生するＣＤ／ＤＶＤコンパチブル再生装置が市販されている。ＣＤはディスクの表面から約１．２ｍｍの位置に情報が書き込まれており、ＤＶＤは約０．６ｍｍの位置に書き込まれている。情報記録面はアルミニウムなどが蒸着されており、反射率は約８０％である。透明ポリカーボネートなどの表面は約４％の反射率である。
このような情報記録面の位置の違いに着目してディスク種類を判別することができる。対物レンズをディスクに所定の速度で近づけていくと、まず、ディスクの表面に再生用レーザの焦点が合わされた時に、上述した小さい反射率によって強度の小さい反射光が得られる。その後、対物レンズをさらにディスクに近づけていくと、ディスクの信号面に再生用レーザの焦点が合わされた時に、信号面での反射によって強度の大きい反射光が得られる。これら２箇所の反射光が得られる時点の間の時間差は距離に比例するために、ディスクの種類を判別することが可能となる。
例えば、上述したように、ＤＶＤ／ＣＤでは表面から情報記録面までの距離が夫々０．６ｍｍ／１．２ｍｍなので、予め判別のための閾値を設定しておくことにより、上述した時間差がかかる閾値に比べて大きい場合に、装着されているディスクがＣＤであると判別できる。また、上述した時間差がかかる閾値に比べて小さい場合には、装着されているディスクがＤＶＤであると判別することができる。
【発明が解決しようとする課題】
しかしながら、上述したような方法は、光ピックアップのアクチュエータのフォーカス方向の感度、すなわちアクチュエータを駆動するための信号とかかる信号に従ってなされるアクチュエータのフォーカス方向の変位速度の対応関係がある程度以上ばらついてしまう場合には正しい判別ができなくなるという欠点を有している。この感度のばらつきは、例えば量産される個々の装置間でのばらつき、各装置毎の経時的な変化、およびアクチュエータ等の部品の動作の温度特性等に起因して生じ、感度の最大値と最小値の差異は、略２倍に達することがある。アクチュエータのフォーカス方向の感度のばらつきが大きくなる程、対物レンズ、再生用レーザ光の焦点位置および反射光が得られる時点についてもばらつきが大きくなり、従って上述したようにして実時間として検出される時間差についてもばらつきが大きくなる。このような時間差のばらつきがある程度以上大きくなることにより、上述の方法における判別のための閾値をまたぐ時間差が検出されるような場合には、判別の結果に誤りが生じるおそれがある。
【課題を解決するための手段】
本発明の情報記録媒体判別装置はかかる点に鑑みなされたもので、表面から情報記録面までの距離が異なる２種類の情報記録媒体をその距離に対応する所定の閾値により判別する情報記録媒体判別装置であって、
前記情報記録媒体に照射されるレーザの焦点をフォーカス方向に所定の速度で移動させるフォーカス移動手段と、前記焦点の位置に基づき前記情報記録媒体の表面と記録面を検出する検出手段と、
一方の情報記録媒体と他方の情報記録媒体に於ける前記レーザの焦点が前記表面の検出位置から前記情報記録面の最初の検出位置まで移動する移動時間の比率Ｒを所定の固定値として予め記憶する記憶手段と、
閾値設定モードに於いて、前記レーザの焦点が前記表面の検出位置から前記情報記録面の最初の検出位置まで移動する時間を計測し、一方の情報記録媒体に対し、該計測した値と前記比率Ｒにて閾値を設定する制御手段を備える。
【発明の実施の形態】
本発明の実施例の形態を図に基づき説明する。実施例の情報記録媒体判別装置は車載用のナビゲーション装置用の地図再生装置に使用される判別装置である。地図再生装置には地図が記憶されたＤＶＤ−ＲＯＭあるいはＣＤ−ＲＯＭのディスクが挿入され、情報記録媒体判別装置は挿入されたディスクがＤＶＤ−ＲＯＭであるかＣＤ−ＲＯＭであるかを判別する。
図１は、本発明の実施例の要部を示すブロック図である。（１）はＤＶＤ−ＲＯＭあるいはＣＤ−ＲＯＭのディスクである。ＤＶＤ−ＲＯＭはディスクの表面から約０．６ｍｍの位置に情報が書き込まれており、ＤＶＤ−ＲＯＭはディスクの表面から約１．２ｍｍの位置に情報が書き込まれている。（２）はターンテーブルであり、ディスク（１）を図示せぬクランプと挟持する。（３）はターンテーブル（２）を回転させるモータである。
（４）はレーザを放射するレーザダイオード（４１）、面に平行な光の成分を通過させ面に垂直な光の成分を反射させる偏ビームスプリッタ（４２）、光を平行にするコリメータレンズ（４３）、接眼レンズ（４４）、４つの領域の光の強弱を検出する４分割センサ（４５）、スピーカと同様の原理で接眼レンズをディスク（１）の面に遠ざけたり近づけたりするフォーカス用のアクチュエータ（４６）を有する。
レーザダイオード（４１）から放射されたレーザは、偏ビームスプリッタ（４２）によりディスク（１）方向に反射され、コリメータレンズ（４３）により平行となり、対物レンズ（４４）により集光されてディスク（１）に放射される。ディスク（１）で反射されたレーザは、対物レンズ（４４）と偏ビームスプリッタ（４２）を介して４分割センサ（４５）に照射され、４つの領域の光度が検出される。このように、ピックアップ（１）はディスク（１）に向けてレーザの焦点を放射し、ディスク（１）により反射されたレーザの光度を４つの領域に分けて検出する。そして、レーザの焦点はフォーカス方向に移動可能である。
（５）は和信号増幅回路であり、ピックアップ（１）の４分割センサ（４５）から出力される４つの領域の光度検出信号を合計し、増幅する。この合計された信号によりレーザの反射の光度を検出することができる。
（６）はフォーカスサーボ回路であり、フォーカス用のアクチュエータ（４６）を駆動する。（７）は制御回路であり、ＲＯＭ（８）に記憶されるプログラムに従って、レーザダイオード（４１）のレーザ放射を制御したり、和信号増幅回路（５）からの光度検出信号に基づきフォーカスサーボ回路（６）の駆動を制御する。ＲＡＭ（９）は不揮発メモリであり、制御回路（７）の動作に必要な情報を記憶する。
次にＣＤ／ＤＶＤの判別方法について説明する。前述のとおり、ＤＶＤ−ＲＯＭはディスクの表面から約０．６ｍｍの位置、ＣＤ−ＲＯＭは約１．２ｍｍの位置に情報が書き込まれており、この違いによりディスク（１）を判別する。ディスク（１）の表面にレーザの焦点を所定速度で近づけていくと、レーザの焦点がディスク（１）の表面に達したときに約４％の反射があり、情報記録面に達したときに約８０％の反射がある。そこで、この反射により、挿入されたディスク（１）の表面を検出してから記録面を検出するまでに要する時間を測定し、設定されている閾値を超えるか否かでＣＤ／ＤＶＤの判別を行う。表面あるいは記録面の検出は、和信号増幅回路（５）の出力が所定以上になったときに行われる。図２に示す如く、基準のＣＤの表面の検出位置から情報記録面の検出位置までの所要時間をＴｃｄとし、ＤＶＤの所要時間をＴｄｖｄとする。そうすると、ＣＤ／ＤＶＤを判定する閾値Ｔｔｈはこれらの中間の（Ｔｃｄ＋Ｔｄｖｄ）／２となる。
前述の如く、レーザの焦点のフォーカス方向の変移速度は製品ごとにばらつくために、工場にて製品ごとに次の方法で閾値Ｔｔｈを設定する。図３は制御回路（７）の閾値設定動作を示すフローチャートである。制御回路（７）は、和信号増幅回路（５）が基準ＣＤの表面を検出したときから情報記録面を検出するまでの所要時間Ｔｃｄを計測する（Ｓ１）。そして、図４の式１に示す如く、基準ＣＤの所要時間Ｔｃｄと基準ＤＶＤの所要時間Ｔｄｖｄの比率Ｒ（Ｒ＝Ｔｄｖｄ／Ｔｃｄ）（例えば、Ｒ＝２）を一定とみなす。これにより、基準ＤＶＤの所要時間Ｔｄｖｄは実測しなくても計算（Ｔｄｖｄ＝Ｒ×Ｔｃｄ）で求めることができる。よって、図４の式２に示す如く、閾値Ｔｔｈ（Ｔｔｈ＝Ｔｄｖｄ／２／（１＋１／Ｒ））を計算して、ＲＡＭ（９）に記憶させる（Ｓ２）。
このように、本発明は比率Ｒを固定値として、基準ＤＶＤの所要時間Ｔｄｖｄを計測することなく閾値Ｔｔｈを設定する。尚、逆に、基準ＤＶＤの所要時間Ｔｄｖｄを計測し、基準ＣＤの所要時間Ｔｃｄを計測せずに、閾値Ｔｔｈを図４の式３（Ｔｔｈ＝ｄｖｄ／２（Ｒ＋１））で計算してもよい。
ところで、本発明は比率Ｒを固定値とした。製品のばらつきにより、レーザの焦点のフォーカス方向の変移速度が変化しても、表面から情報記録面まで移動する時間の比率Ｒは速度変化が相殺されてほとんど変化しない。また、例え、加速度の差等により僅か変化しても、距離の比率が２倍のものを判定するのに支障はない。
図４は制御回路（７）のＣＤ／ＤＶＤ判定動作を示すフローチャートである。制御回路（７）は、和信号増幅回路（５）が挿入されたディスク（１）の表面を検出したときから情報記録面を検出するまでの所要時間Ｔを計測する（Ｓ１１）。計測した所要時間Ｔが閾値Ｔｔｈより小さければＤＶＤと判定し（Ｓ１２のＹ，Ｓ１３）、Ｔｔｈ以上であればＣＤと判定する（Ｓ１２のＮ，Ｓ１４）。
【発明の効果】
上述の如く、本発明は、基準ＣＤの表面検出から情報記録面検出までレーザの焦点が移動する所要時間と基準ＤＶＤの所要時間の比率を固定値とする。これにより、基準ＣＤか基準ＤＶＤの一方の所要時間を計測するだけで、個々の情報記録媒体判別装置のＣＤ／ＤＶＤ判定の閾値を設定することができる。
【図面の簡単な説明】
【図１】本発明の要部を示すブロック図である。
【図２】ディスクの表面検出から情報記録面検出までレーザの焦点が移動する所要時間を示す図である。
【図３】本発明の閾値設定の動作を示すフローチャートである。
【図４】本発明の計算式を示す図である。
【図５】本発明のＣＤ／ＤＶＤ判定の動作を示すフローチャートである。
【符号の説明】
１  ディスク
４  ピックアップ
４１  レーザダイオード
４２  偏ビームスプリッタ
４３  コリメータレンズ
４４  接眼レンズ
４５  ４分割センサ
４６  アクチュエータ
５  和信号増幅回路
７  制御回路
【図１】
0003600123.tif 000002
【図２】
0003600123.tif 000003
【図３】
0003600123.tif 000004
【図４】
0003600123.tif 000005
【図５】
0003600123.tif 000006